(57)【要約】      （修正有）【課題】陰茎を包み込むような機能を持ちながら、便器前に立って通常排尿を行なう状況に迅速に対応でき、更に、排尿が終わったと思った後に少量の尿漏れが起こったとしても確実に対応できる、コンパクトな男性用尿取りパッドを提供する。【解決手段】一端が肌着下穿きの前部内面に貼着され、陰茎先端を越えた位置で折り曲げられ、陰茎根元位置で陰茎と陰嚢に挟持される形で他端が固定されるパッド１であり、一端には粘着層（粘着テープ４）が配置され、他端には陰茎が一部嵌り込む凹湾部３１が形成され、また凹湾部３１周辺は形状保持のための補強材（粘着性付与シート３２及びプラスチック板３３）が配置されている。【選択図】図１
0003219084.tif 000002
【実用新案登録請求の範囲】
【請求項１】
一端が肌着下穿きの前部内面に貼着され、陰茎先端を越えた位置で折り曲げられ、陰茎根元位置で陰茎と陰嚢に挟持される形で他端が固定されるパッドであり、該一端には粘着層が配置され、該他端には補強材が配置されているものであることを特徴とする男性用尿取りパッド。
【請求項２】
該他端には、陰茎が一部嵌り込む凹湾部が形成されている請求項１記載の男性用尿取りパッド。
【請求項３】
補強材は、左右方向に配置されるプラスチック製板状体である請求項１又は２記載の男性用尿取りパッド。
【請求項４】
補強材は、該他端の凹湾部を取り囲む部分に配置される粘性シートである請求項１、２又は３記載の男性用尿取りパッド。
【請求項５】
該粘性シートは吸湿して粘性が増すものである請求項４記載の男性用尿取りパッド。
【請求項６】
パッド本体の左右端の一部に、肌着下穿きの前部に穿設されている前開き穴に挿入されて該下穿きから外に出る舌片が、切欠によって形成されているものである請求項１乃至５いずれか１項に記載の男性用尿取りパッド。
【請求項７】
パッド上端側の貼着力は、パッド下端側の貼着力よりも大きいものである請求項４乃至６いずれか１項に記載の男性用尿取りパッド。
【考案の詳細な説明】
【技術分野】
【０００１】
本考案は、男性用尿取りパッドの構造に関するものである。
【背景技術】
【０００２】
排尿前後の失禁は多くの人に起こりえるところのものである。高齢となるとその傾向が顕著となり、積極的な対応が求められることとなる。但しこれに対して適用される製品に対しては心情的に、第一には「できれば用いたくないもの」であり、やむなく用いる場合でも「できるだけ目立たないもの」が求められる、と言える。
漏れる尿量が多い場合には股下・腰回りを取り囲む「おむつ」で対応するしかないが、少量の場合「尿取りパッド」と呼ばれるもので対応できることが多い。
【０００３】
なお「尿取りパッド」自体は、男性用と女性用とで構造や使用方法に違いがあるが本考案はその中の男性用に限るものである。
【０００４】
男性の尿は、陰茎の先端から排出され、陰茎は体躯に対して固定的なものではない結果、排尿位置は様々に変わることとなる。加えて個体差もあるので、基本的に尿排出位置が特定しにくいという構造上の弱点を持っている。また、下穿きの内面に沿わせただけのパッドの場合、漏れた尿が陰嚢側に移り易くなる。陰茎と陰嚢は密着していることもあり尿は毛細管現象にて陰茎・陰嚢間に留まり、パッドではなかなか拭えない。そうなってしまうと、不快感をもたらし、かゆみや炎症を引き起こしかねず不衛生である。そこでこれらを改善するため、陰茎のみを吸水素材で包み込むような構造とするものも見られる。なお、陰茎のみを吸水素材で包み込むタイプのパッドは、蓄尿して重くなったり日常動作で揺れ動くことで、容易に抜落するという危うさを持っているため、現実的にはおむつと併用する形で使用されることが多い。
【考案の概要】
【考案が解決しようとする課題】
【０００５】
その結果、パッド外への尿漏出を遮断するための陰茎を包み込む構造を持つタイプの尿取りパッドと、尿排出位置が特定できない故できるだけ広いエリアを確保しどの位置でも吸水できるようにしたタイプの尿取りパッドの両タイプの中から、パッドが抜け落ちる心配が少ない状態（例えば、おむつを併用する寝たきり状態）であれば前者を、使用の簡便さを求めるのであれば後者を選択し対応しているというのが現状である。
【０００６】
つまり、おむつに完全移行しているわけではなく、寝たきりでもない尿取りパッド装用者は、後者タイプの尿取りパッドを選択せざるを得ない。しかしながら、前者の尿取りパッド（陰茎を包み込むタイプ）にあっては、尿が直ちに陰嚢を濡らすことはなく、また陰茎が常時吸水パッドに囲まれている、という捨て難い長所がある。
【０００７】
こうしたことから、陰茎を包み込むような機能を持ちながら、便器前に立って通常排尿を行なう状況に迅速に対応でき、更に、排尿が終わったと思った後に少量の尿漏れが起こったとしても確実に対応できる、コンパクトな尿取りパッドの出現が待たれていた。
【課題を解決するための手段】
【０００８】
以上のような現状に鑑み長年鋭意研究の結果本考案者は遂に本考案を成したものでありその特徴とするところは、一端が肌着下穿きの前部内面に貼着され、陰茎先端を越えた位置で折り曲げられ、陰茎根元位置で陰茎と陰嚢に挟持される形で他端が固定されるパッドであり、該一端には粘着層が配置され、該他端には、形状を保持するためでもあり、手探りでも装着しやすくするためでもある補強材が配置されている点にある。
【０００９】
即ち本考案は、パッドの一端側は下着側に粘着剤によって固定した上で、普段陰茎が下向きで陰嚢に密着していることを利用し、パッドの他端を陰茎根元と陰嚢の間に嵌め込んで固定するようにしたことを最大の特徴とする考案である。
【００１０】
パッドの一端を陰茎根元に差し込むだけであるが、陰茎と陰嚢の構造上の特性それだけで、ある程度の保持（外れ防止）が図れる。しかし本考案においてはこの保持力を更に高めて確実なものとするために、この端部辺りに補強材を配置するものとしている。
【００１１】
陰茎根元に差し込む側のパッド端部の形状は特には限定しないが、ここに凹湾部を設けるようにしても良い。そうすることでパッド端部に陰茎の一部が嵌り込む構造が形成されることになる。
【００１２】
補強材は、パッドの端部がその展開状態をある程度保持し、端部が丸まったりしないようにするためのものである。また、補強材が一定以上のコシを持っているため手探りでパッドを装着する場面では、指の感触でパッド端部が捉えやすくなるという効果もある。なお、ここでいう「パッドの端部」は、外側縁のみを指す語句ではなく、多少は中央に寄った位置であっても良いものとする。従って補強材は、外縁に沿っていても、数ｃｍ程度内側に配置されていても良いものとする。また補強材の幅は、陰嚢部分をはみ出すことがないようにし、且つ補強材の奥行きは、陰茎を包み込むことになる吸水部の位置までに設計する。
補強材の具体的な構造としては、コシのある板状部材をパッド本体に内包若しくは接着する方法、或いはパッド本体端部にコシのある粘性シートを接着する方法、などがある。粘性シートを用いる場合、粘着力が強すぎると装着が面倒であるので、吸湿すると粘性が増すような性質のものを採用すると非常に便利である。またパッドを下方に押し下げた時にその押し下げ力によって陰茎・陰嚢の隙間から外せる必要があるので粘着力は予めそれが勘案されていることが望ましい。適切な粘着力が付与された場合には極めて効果的なものとなる。また、下着（パンツ）を押し下げた時に、まずはパッドの下端側が外れ、パンツ内側に貼着しているパッド上端側は残っている、という状況に至ることが望ましいので、パッド上端側の貼着力は、下端側の貼着力よりも大きいことが望ましい。勿論、パッド上端側の貼着力が大きいとは言っても、剥がすときにパンツ素材を傷めるほどに大きいことは避けるべきであるし、下端側の貼着力が小さいとは言ってもパンツを装用した上の日常動作で外れてしまうほどに小さいものであってはならないことは当然勘案の上設計されるべきである。
【００１３】
パッド本体の材質に関しては何ら限定しない。従来のものと同様で良い。更にパッド本体の大きさについても、特に限定するものではないが、下着内面に一端が接着されそこから下垂し、陰茎先端を越えた辺りで上方に向きを変え、もう一端が陰茎根元に固定されるものであることから、３０ｃｍ程度の長さが好適かと思われる。また幅に関しては、２つ折りされたパッド内に陰茎が存在することになるのでパッドからの尿漏出を防ぐ意味で、１０ｃｍ以上、できれば１３ｃｍ程度が望ましいと思われるがこうした寸法に関しては体格差もあるので複数種（例えば、Ｓ・Ｍ・Ｌの３サイズ）を準備しておくと良い。その際、陰茎と本考案パッド１に幾分かの隙間がある方が装用感は良好である。なお更に、尿量が多い場合の尿漏出防止策として、パッド本体両側端にフレア部分を設け、更にこのフレア部分外端にゴム糸を配すると、堰としての機能が付与され、より好適である。
【００１４】
次に本考案パッドの使用方法について述べる。但し本考案は、パッド構造に関するものであって、使用方法が権利範囲を限定するということはない。
装着は、一端を肌着下穿きの前部内面に貼着し、他端を陰茎根元位置に陰茎と陰嚢で挟持するように固定させるだけで良い。肌着下穿きへの貼着を行なってから他端の挟み込み動作を行なっても良いし、その逆でも良い。肌着下穿きとしては、通常はブリーフ形パンツ、トランクス形パンツが該当するが、これらはウエスト部分にゴムを付帯しているので、肌着下穿きへの貼着を行なってから他端の挟み込み動作を行なう場合には先にパンツを履いておく必要があり、その場合にはウエスト部分のゴムを広げながら他端を陰茎と陰嚢の間に嵌め込むという複合的な動作が求められることになる。但しこの動作は、困難というほどのものではないし、パンツのウエストゴム力が弱ければ苦にならないものである。
【００１５】
装着後は、そのまま日常動作を続行すればよく、その中で少量の尿漏れが発生すればパッドはこれを吸収する。漏れた尿量にもよるが、こうした尿漏れに複数回耐え得るように、吸収部分を多層式とし、吸収部分のみ剥離可能としておいても良い。
【００１６】
また本考案は、パッド装用中に通常の排尿行動を取る場合に特に効果を発揮する。即ち、肌着下穿き（パンツ）を下にずらすだけで陰茎を露出させることができるので、便所で手間取るということがない。これは、尿意を催してから我慢できなくなるまでの時間が短い傾向にある高齢者にとって非常な朗報である。
また、用いているパンツが、前開き穴付きのものであればこれを利用し、パンツを履いたまま下にずらすことなく、陰茎を前開き穴から外に出せるような構造ともなっている。
【００１７】
なおここまで、高齢者用のパッドについてのみ述べてきたが本考案は高齢男性に限るものではなくもっと若い世代の男性に使用しても良いし、幼児がオムツを外して生活できるようになるまでに適用される「訓練パンツ」の代用品として用いることも可能である。
【考案の効果】
【００１８】
以上述べた通り本考案は、一端が肌着下穿きの前部内面に貼着され、陰茎先端を越えた位置で折り曲げられ、陰茎根元位置で陰茎と陰嚢に挟持される形で他端が固定されるパッドであり、該一端には粘着層が配置され、該他端には補強材が配置されていることを特徴とする男性用尿取りパッドであり、以下述べる如き効果を有する実用上有用な考案である。
（１）肌着下穿き（パンツ）に完全に接着させるのではなく、一端は陰茎側に固定されるパッドであって、その端部は陰茎と陰嚢に挟み込まれるものであるので、日常動作でパンツが多少ずれたとしても、他端側のパッドから陰茎が外れてしまうという事態にはなりにくく、漏尿の危険性が小さい。
（２）パンツを下げるだけで陰茎が露出するので、通常の排尿動作が行ないやすい。
（３）補強材が配置されるので、形状が保持されパンツ内で変形しにくい。よって、尿取り効果が維持され、また、パッド変形が抑えられるため外観も醜悪なものとはならない。
【００１９】
即ち、本考案パッドの上端部はパンツ内面に貼着されているので、スリット（パンツの前開き部）から手を差し込めば、もろに指が陰茎に到達する。そのまま指で陰茎を掴んだまま習慣化している動作で陰茎をスリットに導けば、男性便器を前にして通常排尿動作ができる。
排尿終了後は、ウエスト部から両手の手探りで、元のようにパッドの下端部を嵌め込むということになる。
【図面の簡単な説明】
【００２０】
【図１】本考案に係る男性用尿取りパッドの一例を示す概略平面図である。
【図２】本考案に係る男性用尿取り本考案パッドを実際に装着している状態の一例を示す概略側面図である。
【図３】本考案に係る男性用尿取りパッドの他の例を示す概略平面図である。
【考案を実施するための最良の形態】
【００２１】
以下実施の形態に基づいて、本考案をより詳細に説明する。
図１は、本考案に係る男性用尿取りパッド１（以下単に本考案パッド１という）の一例を示すものである。本考案パッド１は、２つ折りにして下穿き内に収めるものであり、展開状態の表面と裏面の２面は、２つ折りされることにより外面と内面に変わることになると言える。そして本図は、２つ折りした後には内面となる一面を示したものであり、２つ折りして装用しているときに、体躯側になる方が下、体躯から離れた側になる方が上になるように描出している。
【００２２】
図より明らかなように本考案パッド１は、図下端から中央付近にかけた部分に吸水部２を有するパッドである。吸水部２は、吸水性ポリマー２１を内包するものであって、他の一般的な尿取りパッド・紙おむつと同様、内面側（即ち本図で見える面）には透水性のあるガーゼ状材２２、外面側（即ち本図の裏面側）には撥水シート２３が配置されている。
【００２３】
本図下端には、陰茎保持部３が形成されており本図の例の場合これは、凹湾部３１と、補強材により成る。本例では補強材として、粘着性付与シート３２及びプラスチック板３３を用いた。
凹湾部３１は、陰茎の根元に嵌り込ませる部分であり、これによって本考案パッド１は設計通りの位置に装着することができると共に、嵌り込むことによって一旦装着されさえすれば、容易にズレないという効果も発揮する。但し凹湾部３１の存在は本考案の必須要件ではない。
【００２４】
粘着性付与シート３２は、吸湿すると粘性が増す糊状特性を呈する物質をシート状にしたものである。この粘性によって陰茎と本考案パッド１とは、ますます外れにくくなる。また、陰茎と陰嚢の間に本考案パッド１の凹湾部３１を嵌め込んで係止するという形態は、粘着性付与シート３２の厚みもまた外れにくさに貢献するという意味合いもある。
但し、余り分厚いものであると装用感が悪くなる。本考案者が試作実験した範囲で言うと、厚さの限界は５ｍｍ程度であった。また本例では、粘着性付与シート３２を本考案パッド１の陰茎保持部３表裏両面に配置している。
【００２５】
プラスチック板３３は、陰茎保持部３に配置される幅狭の部材であって、図の左右方向（装用者が直立した状態で言うと水平方向）に配置され、本考案パッド１下端側が丸まってしまうのを防止するためのものである。
【００２６】
なお、本例では粘着性付与シート３２とプラスチック板３３の双方を具備しているが、外れにくさが確保されていれば粘着性付与シート３２を省略して良いし、粘着性付与シート３２が本考案パッド１下端側が丸まってしまうのを防止するだけのコシを有していればプラスチック板３３を省略しても良い。
【００２７】
本考案パッド１は、陰茎根元を始点として先ずは垂れ下がり、亀頭を越えた辺りから陰茎全体を覆うような形で立ち上がるようにして装着し、この立ち上げた部分の端は、肌着下穿きの前部内面に粘着剤によって係止される。そのため本例の本考案パッド１の上端の裏面には、粘着テープ４が設けられている（粘着テープ４は図１の状態では外観できないので、破線で描出している）。製品段階でこの粘着テープ４ははく離紙で覆われており、装着に際してはく離し下穿きに係止する。
【００２８】
また、吸水部２の左右に延出するサイドガード５は尿が左右端から漏出するのを防止する部分であり、実際には立体ギャザー加工が施されており立ち上がり部分等を有している。該構造は、従来の尿取りパッドにおいて採用されており、詳述しない。
【００２９】
図２は、本考案パッド１の装着状態を示すものであるが、陰茎Ｘと陰嚢Ｙとの位置関係を明らかにするため、本考案パッド１については縦中央断面を描出している。
装着はどのような方法で行なってもよいものであるが、以下一般的な例を示す。
まず、陰茎Ｘと陰嚢Ｙの間に本考案パッド１を差し入れる。差し入れるのは、図１の下端側（陰茎保持部３側）からであり、陰茎Ｘの根元Ｘ１に本考案パッド１の凹湾部３１が当たるまで差し込む。当然、差し込んだだけの状態では本考案パッド１は、陰茎保持部３を上端として垂れ下がっていることになる。
【００３０】
そして本考案パッド１の他端側を引き上げて、下穿き（描出省略）の内面に係止する。本図はその状態を示すものである。下穿きの上端位置は、陰茎Ｘの根元Ｘ１の位置よりも１０ｃｍ程度高いのが普通である。また、装着状態で最も低い位置となる底部６と亀頭先端Ｘ２とは数センチメートル離反している方が、風通しが良くなるという意味でも、快適な装用感を得る意味でも、或いは通常の排尿を行なうために陰茎を露出させる動作を支障なく行なうという意味でも、好適であった。従って、本考案パッド１のサイズは、こうした点が勘案し算出・設計されていることが好ましい。
【００３１】
図３は、本考案の他の例を示すものであり、２つ折りされて装着されたときに下穿き側に接する部分に折り返し舌片７を設けた例である。
これは、下穿きが前開き孔付きの場合に活用できるものであり、下穿きの前開き孔部分の布地の内側端位置で折り返して布地端部を挟み込むようにするものである。装用時、前開き孔の上方に粘着剤層４が位置する必要があるため、図１の場合に比して吸水部２と粘着剤層４との距離は大きくなっている。
また下穿きの前開き孔は通常、単なるスリットではなく、重複部分があって、装用者から見て該重複部分の右端は下穿きの外側、左端は下穿きの内側となっていることが多い。右手で陰茎を取り出すことを前提としているためだと思われる。本例においてもこれに倣い、図右端側に折り返し舌片７を設けている。また、図では吸水ポリマー２１の形状がほぼ矩形であり、舌片７の右側に相当する部分には吸水ポリマーが存在しない構造となっているが、下穿きを下ろして通常の排尿をするに当たり陰茎を出し入れする時の漏れ尿が吸収できるように、吸水ポリマー２１を舌片７に至るまで延出させても良い（図示せず）。
【００３２】
なお凹湾部３１は、本考案に必須のものではない。従って、例えば端部が直線状に形成されているものであっても良いものとする（図示略）。
【符号の説明】
【００３３】
１      本考案に係る男性用尿取りパッド
２      吸水部
２１    吸水性ポリマー
２２    ガーゼ状材
２３    撥水シート
３      陰茎保持部
３１    凹湾部
３２    粘着性付与シート
３３    芯材
４      粘着剤層
５      サイドガード
６      底部
７      折り返し舌片
Ｘ      陰茎
Ｘ１    陰茎の根元
Ｘ２    亀頭先端
Ｙ      陰嚢
【図１】
0003219084.tif 000003
【図２】
0003219084.tif 000004
【図３】
0003219084.tif 000005
【手続補正書】
【提出日】平成30年9月27日(2018.9.27)
【手続補正１】
【補正対象書類名】実用新案登録請求の範囲
【補正対象項目名】請求項４
【補正方法】変更
【補正の内容】
【請求項４】
補強材は、該他端の凹湾部を取り囲む部分に配置される粘性シートである請求項２記載の男性用尿取りパッド。